(57)【要約】【課題】施工性、メンテナンス性に優れ、低コストで美観を損ねることなく雨水を効率よく排水できる屋根構造を提供する。【解決手段】軒樋付き屋根構造体は、パネル１１と樋部材３０とを具備する。パネル１１は、コア部材１４と、枠部材１７と、上面板２１及び下面板２３とを備え、水平面から傾斜して支持される。樋部材３０は、パネル１１の傾斜下方側の縁部に沿って設けられ、底壁３１と、底壁３１から立ち上がる一対の側壁３３ａ，３３ｂを有して上方が開口される。上面板２１は、枠部材１７から樋部材３０に向けて延長した上面板延長部４１を有しする。樋部材３０の開口は、一部を残して上面板延長部４１によって覆われている。【選択図】図３
2020066950.tif 000002
【特許請求の範囲】
【請求項１】
板状のコア部材、前記コア部材の側面を囲む枠部材、前記コア部材及び前記枠部材を板厚方向に挟んで固定される上面板及び下面板を備えて水平面から傾斜して支持されるパネルと、前記パネルの傾斜下方側の縁部に沿って設けられ、底壁と該底壁から立ち上がる一対の側壁を有して上方が開口された樋部材と、を具備する軒樋付き屋根構造体であって、
前記上面板は、前記枠部材から前記樋部材に向けて延長した上面板延長部を有し、
前記樋部材の前記開口は、一部を残して前記上面板延長部によって覆われている軒樋付き屋根構造体。
【請求項２】
前記樋部材は、前記上面板延長部に固定されている請求項１に記載の軒樋付き屋根構造体。
【請求項３】
前記樋部材は、前記一対の側壁の上部を架け渡す支持部材が設けられ、前記支持部材を介して前記上面板延長部に固定されている請求項１又は２に記載の軒樋付き屋根構造体。
【請求項４】
前記上面板延長部と、前記支持部材とを固定する締結部材を備える請求項３に記載の軒樋付き屋根構造体。
【請求項５】
前記パネルの傾斜方向と直交する方向に、複数の前記パネルがパネル端部を対面させて接続され、
前記上面板延長部には、前記パネル同士の接続位置に切り欠き部が形成されている請求項１〜４のいずれか一項に記載の軒樋付き屋根構造体。
【請求項６】
前記樋部材は、前記底壁に溜まる水を下方へ導く落とし口を有し、
前記上面板延長部には、前記落とし口の上方に切り欠き部が形成されている請求項１〜５のいずれか一項に記載の軒樋付き屋根構造体。
【請求項７】
前記上面板の内側面と前記枠部材との間を密閉するシール部材が設けられている請求項１〜６のいずれか一項に記載の軒樋付き屋根構造体。
【請求項８】
前記樋部材の前記パネルとは反対側の前記側壁の上端は、前記上面板延長部の縁部よりも高い請求項１〜７のいずれか一項に記載の軒樋付き屋根構造体。
【請求項９】
前記コア部材は、アルミニウム又はアルミニウム合金製の壁体を蜂の巣状に立設したハニカム構造体である請求項１〜８のいずれか一項に記載の軒樋付き屋根構造体。
【発明の詳細な説明】
【技術分野】
【０００１】
本発明は、軒樋を有する屋根構造体に関する。
【背景技術】
【０００２】
近年になり、建築物の屋根や庇等の屋根材として、軽量で耐食性に優れたアルミニウム板をハニカム構造等により高強度化したパネルが広く用いられるようになった。例えば、図１２に示す庇１１０では、パネル１１１が、建築物の壁面１１３に支持梁１１５によって支持される。パネル１１１の先端側縁部には樋部材１１７が設けられ、パネル１１１の上面に流れる雨水を樋部材１１７で受けるようになっている。
【０００３】
図１３はパネル１１１と樋部材１１７との接続部位の概略断面図である。パネル１１１は、ハニカムコア等のコア部材１２１、及びコア部材１２１を囲んで設けた枠部材１２３を、２枚の面板（上面板１２７Ａ，下面板１２７Ｂ）で挟み込んで構成される。枠部材１２３の外側には、樋部材１１７が枠部材１２３の長手方向（図１３の奥行き方向）に沿って配置される。樋部材１１７は、枠部材１２３の側面にねじ１３３によって固定される。また、上面板１２７Ａと樋部材１１７の側壁１３１との間の隙間は、シール材１３７で埋められて、隙間から雨水が下方へ滴下するのを防いでいる。
【先行技術文献】
【非特許文献】
【０００４】
【非特許文献１】「建築構造用アルミニウム合金製  接着ハニカムパネル製品設計・製作マニュアル」  アルミニウム建築構造協議会，平成２９年１０月
【発明の概要】
【発明が解決しようとする課題】
【０００５】
しかしながら、上記した屋根構造では、パネル１１１の上面板１２７Ａと樋部材１１７のとの隙間にシール材１３７を設ける施工に多くの工数を要していた。また、シール材１３７は天候等による経年劣化によって損傷を受けやすく、定期的なメンテナンスが必要とされた。
さらに、樋部材１１７には、雨水とともに枯葉等のゴミが入り込み、排水が滞るおそれがある。そこで、樋部材１１７をネット等で覆うことで、樋部材１１７の中にゴミが溜まることを抑制できるが、その場合には美観を損ねてしまうとともに、施工や設備のコストが嵩むことになる。
【０００６】
本発明の目的は、施工性、メンテナンス性に優れ、低コストで美観を損ねることなく雨水を効率よく排水できる軒樋付き屋根構造体を提供することにある。
【課題を解決するための手段】
【０００７】
本発明は下記の構成からなる。
板状のコア部材と、前記コア部材の側面を囲む枠部材と、前記コア部材及び前記枠部材を板厚方向に挟んで固定される上面板及び下面板と備え、水平面から傾斜して支持されるパネル、並びに前記パネルの傾斜下方側の縁部に沿って設けられ、底壁と該底壁から立ち上がる一対の側壁を有して上方が開口された樋部材、を具備する軒樋付き屋根構造体であって、
前記上面板は、前記枠部材から前記樋部材に向けて延長した上面板延長部を有し、
前記樋部材の前記開口は、一部を残して前記上面板延長部によって覆われている軒樋付き屋根構造体。
【発明の効果】
【０００８】
本発明によれば、施工性、メンテナンス性に優れた屋根構造体にでき、低コストで美観を損ねることなく雨水を効率よく軒樋に排水できる。
【図面の簡単な説明】
【０００９】
【図１】本発明に係る第１実施形態の軒樋付き屋根構造体の全体構成図である。
【図２】パネルの一部を切り欠いて内部構造を示したパネルの概略斜視図である。
【図３】図１に示すパネルのIII−III線の断面図である。
【図４】上面板を透して示した樋部材の支持構造を表す斜視図である。
【図５】図１に示すパネル部材のＰ１方向から見た矢視図である。
【図６】樋部材に設けた落とし口の部位における平面図である。
【図７】図６に示すVII−VII線の断面図である。
【図８】変形例を説明する図１に示すパネルのIII−III線の断面図である。
【図９】第２実施形態の軒樋付き屋根構造体を示す概略側面図である。
【図１０】第３実施形態の軒樋付き屋根構造体を示す概略側面図である。
【図１１】図１０に示す樋部材の各パネルへの支持構造を説明する一部断面図である。
【図１２】従来の屋根構造体の一例を示す庇の概略側面図である。
【図１３】図１２に示す庇におけるパネルと樋部材との接続部位の概略断面図である。
【発明を実施するための形態】
【００１０】
以下、本発明に係る軒樋付き屋根構造体の一実施形態について、図面を参照して詳細に説明する。
【００１１】
＜第１実施形態＞
図１は本発明に係る第１実施形態の軒樋付き屋根構造体の全体構成図である。
軒樋付き屋根構造体１００は、パネル部材１０と、パネル部材１０に固定される樋部材３０と、パネル部材１０を吊り下げた状態で固定するフレーム１３とを有する。パネル部材１０は、複数枚（図示例では２枚）のパネル１１が、互いの一辺同士を対面させて接続される。フレーム１３は、逆Ｌ字形に形成され、１本又は複数本（図示例では３本）が配置される。なお、図中のＹ方向はパネル１１の接続方向、Ｚ方向は高さ方向、Ｘ方向はＹ方向及びＺ方向に直交する方向である。
【００１２】
フレーム１３は、例えば、Ｈ型鋼等の鋼材やアルミニウム合金等によって形成され、脚部１３ａと、脚部１３ａの上部から略水平方向に延びる梁部１３ｂとを備える。図示例のフレーム１３の形状は一例であって、特に図示した形状や各部の配置形態に限定されない。
【００１３】
２枚のパネル１１を有するパネル部材１０は、フレーム１３の梁部１３ｂに支持され、梁部１３ｂの脚部１３ａから延びる方向（Ｘ方向）へ向かって水平面から下方へ傾斜している。各パネル１１は、パネル１１の傾斜方向と直交する方向（Ｙ方向）に、パネル端部を対面させて互いに接続される。また、各パネル１１には、傾斜下方側の縁部に沿って長尺状の樋部材３０が設けられる。パネル部材１０は、図示例の２枚のパネル１１からなるものに限らず、３枚以上のパネル１１を接続した構成であってもよい。
【００１４】
図２はパネル１１の一部を切り欠いて内部構造を示したパネル１１の概略斜視図である。
パネル１１は、矩形板状のコア部材１４と、コア部材１４の周囲を囲んで配置される枠部材１７と、コア部材１４及び枠部材１７を板厚方向に挟んで固定する上面板２１及び下面板２３と、を備える。
【００１５】
コア部材１４は、アルミニウム又はアルミニウム合金製の壁体を蜂の巣状に立設したハニカム構造体を芯材として備える。コア部材１４がハニカム構造体であることで、軽量でしかも高剛性な構成にできる。
【００１６】
枠部材１７は、上面板２１及び下面板２３の外縁と同じ位置か、又は外縁よりも内側に最外縁を有する枠体であり、例えば、アルミニウム又はアルミニウム合金形材、角材等で構成される。コア部材１４及び枠部材１７の厚さ方向の両端は、上面板２１と下面板２３にそれぞれ塗布された接着剤１９により、上面板２１と下面板２３に接着される。
【００１７】
上面板２１と下面板２３は、アルミニウム又はアルミニウム合金板であり、その他にも、鉄板やステンレス板、樹脂板、ＣＦＲＰ板等、又はこれらを適宜組み合わせた板材であってもよい。
【００１８】
コア部材１４の厚さは、３ｍｍ〜３００ｍｍ程度である。また、上面板２１及び下面板２３の厚さは、それぞれ０．２ｍｍ〜３．０ｍｍ、好ましくは１．５ｍｍ〜２．５ｍｍである。上面板２１のフレーム１３（図１参照）に固定される側には、スタッドボルト等の複数の支持ボルト２５が設けられる。各支持ボルト２５は、フレーム１３に応じて適宜の間隔で設けられ、フレーム１３の梁部１３ｂに設けられた取付金具１２に締結される。これにより、パネル１１は、フレーム１３の梁部１３ｂに支持される。
【００１９】
上面板２１は、詳細を後述するが、樋部材３０側における一辺のＸ方向の長さが、下面板２３よりも長くなっている。
【００２０】
図３は図１に示すパネル１１のIII−III線断面図である。図４は上面板２１を透して示した樋部材３０の支持構造を表す斜視図である。
図３、図４示すように、パネル１１の上面板２１は、Ｘ方向、即ち、樋部材３０に向かって延びる上面板延長部４１を有する。
【００２１】
樋部材３０は、底壁３１と、底壁３１の両側縁からＺ方向に立ち上がる側壁３３ａ，３３ｂとを有する長手方向（Ｙ方向）断面が凹状の部材である。樋部材３０の底壁３１の上方は開口され、この開口は、一部を残して上面板延長部４１によって覆われる。樋部材３０の側壁３３ｂと上面板延長部４１の傾斜下方側の縁部との間に開口される開口部３５は、そのＹ方向の幅寸法が１０ｍｍ〜１００ｍｍ、好ましくは３０ｍｍ〜４０ｍｍ程度に設けられる。この幅寸法にすることで、上面板延長部４１から樋部材３０への雨水の流入を妨げることがない。
【００２２】
また、樋部材３０の側壁３３ｂは、その上端が上面板延長部４１の縁部よりも高い位置にまで立ち上げられている。これにより、パネル１１の上面を伝って雨水が樋部材３０に流れ込む際に、側壁３３ｂを超えて樋部材３０を通り越す流れを抑制でき、雨水を確実に樋部材３０に案内できる。
【００２３】
樋部材３０は、パネル１１の上面板延長部４１に支持される。樋部材３０の長手方向に沿った複数の箇所には、支持部材４３が取り付けられる。支持部材４３は、矩形の板材をハット形に折り曲げた形状で、その中央部の盛り上がった部分が上面板延長部４１に固定する固定部４５になる。固定部４５にはボルト挿通孔４５ａが形成され、ボルト挿通孔４５ａにナット（ポップナット）５８が固定される。ナット５８には、ボルト４７が取り付けられる。
【００２４】
樋部材３０の側壁３３ａ，３３ｂには、その上縁近傍の互いに対向する対向面側に、固定片４９ａ，４９ｂが設けられる。固定片４９ａ，４９ｂは、樋部材３０の長手方向に沿って形成され、支持部材４３の両端部がボルト５１及びナット５３によって固定される。これにより、支持部材４３は、樋部材３０の開口の幅方向に架け渡された状態で樋部材３０に固定される。
【００２５】
支持部材４３の固定部４５に設けられたボルト４７は、上面板延長部４１に形成された孔部４１ａに挿入され、上面板延長部４１の上方からナット５６が締結される。これにより、樋部材３０が上面板延長部４１に固定される。
【００２６】
このようにして、支持部材４３を樋部材３０の固定片４９ａ，４９ｂに固定した後、支持部材４３と上面板延長部４１とをボルト４７とナット５６とで締結する、という簡単な作業で、樋部材３０をパネル１１の上面板延長部４１に支持させることができる。
【００２７】
パネル１１の枠部材１７には、上面板２１及び下面板２３との隅部に、凹部１７ａ，１７ｂが形成される。凹部１７ａ，１７ｂには、シール部材１８Ａ，１８Ｂが設けられている。つまり、上面板延長部４１の基端側となる上面板２１と、枠部材１７との間が、シール部材１８Ａによって水密に密閉される。これにより、上面板延長部４１の裏面側へ雨水が回り込んでも、シール部材１８Ａによって雨水がパネル１１内へ浸入することが阻止される。また、下面板２３と枠部材１７との間のシール部材１８Ｂは、下面板２３を伝って雨水がパネル１１内に浸み込むことを阻止する。このように、パネル１１は、上面板２１及び下面板２３と枠部材１７との隙間が、シール部材１８Ａ，１８Ｂによって確実に密閉される。これらシール部材１８Ａ，１８Ｂは、パネル１１の製造時に枠部材１７に組み付けられるため、屋根構造体の施工時におけるシール工程は不要となる。
【００２８】
図５は図１に示すパネル部材１０のＰ１方向から見た矢視図である。
パネル部材１０が有する２枚のパネル１１の上面板延長部４１には、パネル１１同士の接続箇所に切り欠き部６１が形成される。切り欠き部６１は、パネル１１同士の接続箇所において、樋部材３０の上部を大きく開口させる。なお、パネル１１同士の接続箇所には、パネル１１同士の接続側の辺に沿って蓋部材５５が嵌め込まれ、上面板２１同士の隙間が水密に塞がれる。
【００２９】
図６は樋部材３０に設けた落とし口６３の部位における平面図である。図７は図６に示すVII−VII線の断面図である。
樋部材３０には、底壁３１を流れる雨水を下方へ導く落とし口６３が、適宜な位置に形成されている。落とし口６３には下方へ延びるドレン６５が接続される。ドレン６５の下方には、排水管６７が設けられ、排水管６７の開口６９にドレン６５の下端が挿し込まれる。この排水管６７には、ドレン６５を通じて樋部材３０に溜まった雨水が流れ込み、流れ込んだ雨水は、排水管６７を通じて排水される。ここで、パネル１１の上面板延長部４１には、落とし口６３の上方位置に切り欠き部７１が形成される。切り欠き部７１は、落とし口６３の形成箇所で、樋部材３０の上部を大きく開口させる。
【００３０】
このように、上面板延長部４１には、パネル１１同士の接続位置の上方に切り欠き部６１が形成され、落とし口６３の上方位置に切り欠き部７１が形成される。これら切り欠き部６１，７１を設けることで、樋部材３０内の雨水の流路に溜まったゴミを容易に取り出すことができ、メンテナンス性を向上できる。
【００３１】
以上説明した軒樋付き屋根構造体１００によれば、パネル部材１０の上面に降り注いだ雨水が、上面板２１上をパネルの傾斜下方側へ向かって流れ、上面板延長部４１の傾斜下方側の縁部に開口する開口部３５から樋部材３０へ流れ込む。樋部材３０に流れ込んだ雨水は、樋部材３０に設けた落とし口６３から排水管６７へ送り込まれて排水される。
【００３２】
パネル１１の傾斜下方側の縁部に設けられた樋部材３０の開口は、一部を残して上面板延長部４１によって覆われるため、樋部材３０の流路内に雨水とともに枯葉等のゴミが入り込むのが抑制される。これにより、上面板２１から樋部材３０への雨水の流れを維持しつつ、ゴミ等によって樋部材３０の排水が滞ることを未然に防止できる。また、本構成によれば、樋部材３０の開口を別部材のネット等で覆ってゴミの浸入を抑える構造と比較して、低コストでしかも美観に優れた構成にできる。
【００３３】
そして、パネル１１の枠部材１７と樋部材３０との間の隙間の上方が、迫り出した上面板延長部４１によって覆われるので、パネル１１の枠部材１７と樋部材３０との間をシール材で水密構造にする必要がなくなる。このため、時間を要し煩雑なシール材の施工を不要にでき、従来よりも短期間で軒樋付き屋根構造体の組立、設置を完了できる。また、設置後もシール材の劣化を管理する必要がなく、メンテナンス性を向上できる。
【００３４】
そして、樋部材３０を上面板延長部４１の下方で直接支持させるため、樋部材３０をパネル１１に支持させる構造を大幅に簡略化できる。よって、接続部分の部品点数が削減され、設備コスト及び施工コストを低減できる。しかも、樋部材３０は、樋の開口を幅方向（Ｘ方向）に架け渡した支持部材４３を介して上面板延長部４１に固定されることで、樋部材３０を簡単にパネル１１へ取り付けできる。また、支持部材４３の固定部４５を上面板延長部４１に固定するので、樋部材３０を、その重心位置でバランスよく上面板延長部４１に支持させることができる。
【００３５】
さらに、上面板延長部４１によって覆われる、上面板２１及び下面板２３と枠部材１７との隅部には、シール部材１８Ａ，１８Ｂが設けられる。そのため、仮に強風時等に上面板延長部４１の内側面側へ雨水が回り込んでも、シール部材１８Ａ，１８Ｂによってパネル１１内部への水の浸入を確実に防止できる。
【００３６】
また、樋部材３０は、パネル１１と反対側の側壁４５ｂの上端が上面板延長部４１の傾斜下方側の縁部よりも高くされる。これにより、雨水がパネル１１の上面を伝って樋部材３０に流れ込む際、雨水が樋部材３０から溢れ出すことが抑制される。
【００３７】
支持部材４３を上面板延長部４１に固定する固定手段として、図示したボルト及びナット等の締結部材を用いてもよいが、固定手段はこれに限らない。この固定手段としては、リベットによる締結や、周知のスナップ止め機構等であってもよく、固定位置や固定対象によって適宜選定できる。また、樋部材３０のパネル１１への着脱が容易な構成にすれば、樋部材３０の調整や交換作業が簡単に行える。
【００３８】
また、樋部材３０を支持する上面板延長部４１は、樋部材３０の支持強度を高めるため、板厚を下面板２３よりも厚くしてもよい。さらに、上面板延長部４１の傾斜下方側の縁部に断面Ｌ字状の補強金具を取り付けてもよい。その場合、補強金具が上面板延長部４１から樋部材３０へ流れ込む雨水を導くガイドとなる。
【００３９】
なお、上面板延長部４１は、屋根の設置形態等に応じて様々な態様にできる。例えば、水平面から傾斜させたパネル１１に対して上面板延長部４１が水平となるように、上面板延長部４１の根元部分を僅かに屈曲させてもよい。このようにすれば、上面板延長部４１に支持させる樋部材３０を容易に水平に配置できる。また、屈曲による断面係数の増加によって、上面板延長部４１の強度を向上できる。
【００４０】
また、樋部材３０の形状は、底壁３１の両側縁に側壁３３ａ，３３ｂが立設された断面凹形状のものに限らず、樋部材３０の上方側が開口する断面円弧状や断面Ｕ字状のものであってもよい。
【００４１】
（変形例）
次に、上記した軒樋付き屋根構造体の変形例について説明する。
以下の説明では、上記した部材や部位と同一の部材や部位については、同一の符号を付与することで、その説明を省略又は簡略化する。
【００４２】
図８は変形例を説明する図１に示すパネルのIII−III線の断面図である。
本変形例では、樋部材３０のパネル１１側の側壁３３ａに、パネル１１側に突出する係止片７５が設けられ、パネル１１の枠部材１７の側面に、樋部材３０側に突出する係止片７７が設けられる。係止片７５，７７は、互いに上下方向に重なって係止されることで、樋部材３０とパネル１１とを位置決めする。
【００４３】
樋部材３０のパネル１１側の側壁３３ａには、係止片７５よりも下方に、パネル１１側へ向かって突出する突き当て片７９が設けられる。この突き当て片７９は、パネル１１の枠部材１７の側面に突き当てられ、上面板延長部４１の湾曲による樋部材３０のパネル１１側への変位を防いでいる。
【００４４】
樋部材３０は、その開口の幅方向（Ｘ方向）の全幅寸法をＬａとすると、全幅寸法Ｌａの半分の幅寸法Ｌｂ（＝Ｌａ／２）よりも大きい幅寸法Ｌｃの領域が、上面板延長部４１によって覆われる。これにより、樋部材３０を、開口の幅方向の略中心となる重心位置で、上面板延長部４１に固定できる。つまり、樋部材３０は、その開口の幅方向に関して、樋部材３０の重心位置に配置されるボルト４７によって上面板延長部４１に固定される。このため、樋部材３０に大量の雨水が溜まり、下方への荷重Ｗが増加した場合でも、負荷された荷重Ｗがボルト４７によって安定して支持され、樋部材３０が傾斜することがない。
【００４５】
また、樋部材３０に下方へ荷重Ｗが負荷されてモーメントＭが生じ、パネル１１へ向かう力Ｆが付与されても、コア部材１４に突き当て片７９が突き当てられているので、樋部材３０に付与される力Ｆがコア部材１４で受け止められる。したがって、パネル１１に対する樋部材３０の支持強度を簡単に向上できる。
【００４６】
さらに、この変形例では、樋部材３０をパネル１１の上面板延長部４１に支持させる際に、樋部材３０の係止片７５をパネル１１の係止片７７へ載せることで、樋部材３０を位置決めできる。樋部材３０を位置決めした状態にすることで、ボルト４７を上面板延長部４１に作業性よく固定できる。
【００４７】
＜第２実施形態＞
図９は第２実施形態の軒樋付き屋根構造体２００を示す概略側面図である。
本実施形態の軒樋付き屋根構造体２００においては、パネル部材を構成するパネル部材１０が、フレーム１３の梁部１３ｂが延びる方向（Ｘ方向）の反対側へ向かって、水平面より下方へ傾斜して支持される。このように、第１実施形態のパネル部材１０の傾斜方向とは逆の傾斜である場合では、樋部材３０を、各パネル１１の傾斜下方側の縁部であるフレーム１３の脚部１３ａ側の辺に沿って設ける。なお、図示例のパネル部材１０の傾斜は、誇張して示しており、実際の傾斜具合とは異なる場合もある。以下に説明する他の実施形態についても同様である。
【００４８】
本構成によれば、パネル１１に降り注いだ雨水が、パネル１１の上面板２１上を傾斜下方側であるフレーム１３の脚部１３ａ側へ向かって流れ、上面板延長部４１の傾斜下方側の縁部から樋部材３０に流れ込み、排水される。この場合も前述した第１実施形態と同様の効果が得られ、さらに、樋部材３０が脚部１３ａに近い側に配置されることで、メンテナンスを容易に行える。
【００４９】
＜第３実施形態＞
図１０は第３実施形態の軒樋付き屋根構造体３００を示す概略側面図である。図１１は図１０に示す樋部材３０Ａの各パネル１１への支持構造を説明する一部断面図である。
本実施形態では、図１０に示すように、支柱８１の上端部に、パネル部材１０Ａ，１０Ｂが、互いの端面を対面させて取り付けられている。パネル部材１０Ａ，１０Ｂは、支柱８１の支持部位へ向かって下方へ傾斜され、図１０においては、パネル部材１０Ａ，１０Ｂ、及び支柱８１がＹ字形に配置される。
【００５０】
そして、図１１に示すように、パネル部材１１Ａを構成するパネル１１と、パネル部材１１Ｂを構成するパネル１１には、支柱８１による支持側の辺に沿って一つの樋部材３０Ａが設けられる。それぞれのパネル１１，１１の上面板延長部４１は、樋部材３０Ａの開口の上方へ張り出して、樋部材３０Ａの開口の一部がそれぞれの上面板延長部４１によって覆われる。
【００５１】
本構成においては、パネル１１の枠部材１７に接合された略Ｌ字形の連結金具８３と、樋部材３０Ａの側壁３３ａ，３３ｂから突出した固定片８５とを、ねじ止めすることで、樋部材３０Ａがパネル１１に固定される。上面板延長部４１の傾斜下方側の縁部には、断面Ｌ字形の案内板８７を固定してもよい。その場合、案内板８７は、下方に配置される樋部材３０Ａに雨水を円滑に案内し、雨水が上面板延長部４１の内側面側へ回り込むことを抑制する。
【００５２】
本実施形態によれば、それぞれのパネル１１に降り注いだ雨水が、上面板２１上で支柱８１側に向かって流れ、それぞれの上面板延長部４１の傾斜下方側の縁部から樋部材３０へ流れ込む。樋部材３０に流れ込んだ雨水は、不図示の落とし口等から排水される。この場合も、樋部材３０とパネル１１の枠部材１７との間の隙間は、上面板延長部４１によって覆われるため、隙間への雨水の浸入が抑制される。したがって、従前のように、この隙間にシール部材を設ける必要がなくなり、施工性を向上できる。
【００５３】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５４】
以上の通り、本明細書には次の事項が開示される。
（１）  板状のコア部材、前記コア部材の側面を囲む枠部材、前記コア部材及び前記枠部材を板厚方向に挟んで固定される上面板及び下面板を備えて水平面から傾斜して支持されるパネルと、前記パネルの傾斜下方側の縁部に沿って設けられ、底壁と該底壁から立ち上がる一対の側壁を有して上方が開口された樋部材と、を具備する軒樋付き屋根構造体であって、
前記上面板は、前記枠部材から前記樋部材に向けて延長した上面板延長部を有し、
前記樋部材の前記開口は、一部を残して前記上面板延長部によって覆われている軒樋付き屋根構造体。
この軒樋付き屋根構造体によれば、パネルの上面板が、少なくとも樋部材の上方の一部が覆われるように延長した上面板延長部を備えることにより、パネルの上面板を傾斜に沿って流れる雨水が、パネルの内部に浸透することなく、上面板延長部の傾斜下方側の縁部から樋部材に流れ落ちて排水される。また、樋部材は、開口の一部が上側の面板延長部によって覆われているので、樋部材の中に雨水とともに枯葉等のゴミが入り込むことが抑制される。これにより、上面板から樋部材への雨水の流れを維持しつつ、ゴミ等によって排水が滞るような不具合を防止できる。また、樋部材の開口をネット等で覆ってゴミの浸入を抑える構造と比較して、施工が容易となり、低コストでしかも良好な美観が得られる。
【００５５】
（２）  前記樋部材は、前記上面板延長部に固定されている（１）に記載の軒樋付き屋根構造体。
この軒樋付き屋根構造体によれば、上面板延長部に樋部材を固定するため、樋部材とパネルとを一体にしてから屋根材として組み付けできる。そのため、パネルのみ屋根材として取り付けた後に、パネルの側面等に樋部材を固定する場合と比較して、施工性を格段に向上できる。
【００５６】
（３）前記樋部材は、前記一対の側壁の上部を架け渡す支持部材が設けられ、前記支持部材を介して前記上面板延長部に固定されている（１）又は（２）に記載の軒樋付き屋根構造体。
この軒樋付き屋根構造体によれば、支持部材を上面板延長部に固定することで、簡単な作業で樋部材をパネルに固定できる。また、支持部材が樋部材の開口上部に架け渡されるため、樋部材を上面板延長部にバランスよく支持させることができる。
【００５７】
（４）  前記上面板延長部と、前記支持部材とを固定する締結部材を備える（３）に記載の軒樋付き屋根構造体。
この軒樋付き屋根構造体によれば、締結部材によって支持部材を上面板延長部に簡単に固定でき、施工性を向上できる。
【００５８】
（５）  前記パネルの傾斜方向と直交する方向に、複数の前記パネルがパネル端部を対面させて接続され、
前記上面板延長部には、前記パネル同士の接続位置に切り欠き部が形成されている（１）〜（４）のいずれか一つに記載の軒樋付き屋根構造体。
この軒樋付き屋根構造体によれば、パネル同士の接続位置に形成された切り欠き部から、樋部材に溜まったゴミ等が容易に取り出し可能となり、メンテナンス性を向上できる。
【００５９】
（６）  前記樋部材は、前記底壁に溜まる水を下方へ導く落とし口を有し、
前記上面板延長部には、前記落とし口の上方に切り欠き部が形成されている（１）〜（５）のいずれか一つに記載の軒樋付き屋根構造体。
この軒樋付き屋根構造体によれば、ゴミが溜まりやすい落し口の上方位置に設けられた切り欠き部において、樋の流路に溜まったゴミを容易に取り出すことができ、メンテナンス性を向上できる。
【００６０】
（７）  前記上面板の内側面と前記枠部材との間を密閉するシール部材が設けられている（１）〜（６）のいずれか一つに記載の軒樋付き屋根構造体。
この軒樋付き屋根構造体によれば、上面板延長部の先端側縁部から上面板の内側へ雨水が回り込んでも、シール部材によって、雨水がパネル内へ浸入することを防止できる。
【００６１】
（８）  前記樋部材の前記パネルとは反対側の前記側壁の上端は、前記上面板延長部の縁部よりも高い（１）〜（７）のいずれか一つに記載の軒樋付き屋根構造体。
この軒樋付き屋根構造体によれば、パネルの上面を伝って雨水が樋部材に流れ込む際に、側壁を通り越す流れを抑制でき、雨水を確実に樋部材に案内できる。
【００６２】
（９）前記コア部材は、アルミニウム又はアルミニウム合金製の壁体を蜂の巣状に立設したハニカム構造体である（１）〜（８）のいずれか一つに記載の軒樋付き屋根構造体。
この軒樋付き屋根構造体によれば、パネルの強度を低下させることなく、軽量化できる。
【００６３】
＜付記＞
また、本明細書には次の事項も開示される。
（Ａ）  前記上面板延長部に対する前記樋部材の固定位置は、前記樋部材の重心位置を通る鉛直線上とされてもよい。
この軒樋付き屋根構造体によれば、樋部材の側壁を片持ち支持する場合と比較して、樋部材に曲げモーメントを生じにくくなり、樋部材を上面板延長部に高強度で支持させることができる。
（Ｂ）  前記上面板延長部は、上面板延長部の基端部から、前記樋部材の重心位置を超える位置まで延長されていてもよい。
この軒樋付き屋根構造体によれば、樋部材の重心位置よりも先まで上面板延長部を延長させることによって、樋部材の開口を覆う面積が増加し、樋部材内へのゴミの浸入をより確実に抑制できる。
（Ｃ）  前記樋部材の前記パネル側の前記側壁と、前記パネルの前記枠部材には、互いに係止される係止片がそれぞれ設けられていてもよい。
この軒樋付き屋根構造体によれば、上面板延長部に樋部材を固定する際、樋部材側の係止片をパネル側の係止片に係止させ、樋部材を一旦位置決めして、この位置決めされた状態で、樋部材を上面板延長部に固定できる。これにより、樋部材の取り付け工程が煩雑とならず、作業性を向上できる。
（Ｄ）  前記樋部材の前記パネル側の前記側壁と、前記パネルの前記枠部材との少なくとも一方に、前記側壁と前記枠部材とが互いに突き当たる突き当て片が設けられていてもよい。
この軒樋付き屋根構造体によれば、樋部材に雨水等が溜まり、下方への荷重が負荷されて、上面板延長部の基端部を回転中心とする曲げモーメントが生じた場合でも、樋部材とパネルとが突き当て片で当接し、上面板延長部の更なる湾曲や樋部材の更なる傾斜を阻止し、下方への荷重を安定して支持できる。これにより、樋部材の耐荷重を向上できる。
（Ｅ）  前記樋部材の長手方向に直交する前記樋部材の両脇に、一対の前記パネルが前記上面板延長部を前記樋部材に対向させて配置され、
前記樋部材の開口の一部が、前記パネルそれぞれの前記上面板延長部によって覆われていてもよい。
この軒樋付き屋根構造体によれば、樋部材の開口の一部が、樋部材の両脇側に配置された一対のパネルの各上面板延長部によって覆われる。これにより、一つの樋部材を一対のパネルで共用でき、低コストに構成できる。
（Ｆ）  前記上面板延長部の傾斜下方側の縁部に、前記樋部材の低部へ向かって延びる導水板が設けられていてもよい。
この軒樋付き屋根構造体によれば、上面板延長部からの雨水が導水板にガイドされて樋部材へ流れ込む。これにより、強風時に雨水が上面板延長部の裏側へ回り込むことを抑制できる。
【符号の説明】
【００６４】
１１  パネル
１４  コア部材
１７  枠部材
１８Ａ，１８Ｂ  シール部材
２１  上面板
２３  下面板
３０，３０Ａ  樋部材
３１  底壁
３３ａ，３３ｂ  側壁
３５  開口部
４１  上面板延長部
４３  支持部材
６１  切り欠き部
６３  落とし口
７１  切り欠き部
１００，２００，３００  軒樋付き屋根構造体
【図１】
2020066950.tif 000003
【図２】
2020066950.tif 000004
【図３】
2020066950.tif 000005
【図４】
2020066950.tif 000006
【図５】
2020066950.tif 000007
【図６】
2020066950.tif 000008
【図７】
2020066950.tif 000009
【図８】
2020066950.tif 000010
【図９】
2020066950.tif 000011
【図１０】
2020066950.tif 000012
【図１１】
2020066950.tif 000013
【図１２】
2020066950.tif 000014
【図１３】
2020066950.tif 000015